【事件の表示】
　特願２００９−２４０５８７「データの再送方法および通信装置」拒絶査定不服審判事件〔平成２２年　１月２８日出願公開、特開２０１０−　２２０５０〕について、次のとおり審決する。
【結　論】
　本件審判の請求は、成り立たない。
【理　由】
１．手続の経緯と本願発明
　本願は、平成１８年８月２２日の出願である特願２００６−２２５８３９号の一部を平成２１年１０月１９日に新たな特許出願としたものであって、平成２３年３月７日付けで拒絶の査定がされたところ、同年６月７日付けで審判の請求がなされ、これに対し当審において平成２４年８月２１日付けで拒絶理由通知がなされ、同年１０月２５日付けで手続補正がなされたものであって、特許請求の範囲の請求項１に係る発明（以下、「本願発明」という。）は、平成２４年１０月２５日付け手続補正書により補正された明細書、特許請求の範囲及び図面の記載からみて、その特許請求の範囲の請求項１に記載された以下のとおりのものと認める。
　
「【請求項１】
 送信側から受信側へ、フレームフォーマットのデータを、当該データを識別する識別情報を付加して送信し、当該データが受信できない場合に当該データを再送する再送方法であって、
　前記受信側から前記送信側に対してデータの再送の要求があった場合に、
　前記送信側は、
　前記再送の要求に係るデータである再送対象データを複数の小データに分割し、当該小データそれぞれのヘッダの領域に前記識別情報を付加しかつヘッダ以外の領域に当該小データの当該再送対象データにおける位置を示す位置情報を付加することによって、複数の分割データを生成し、
　生成された前記各分割データを前記受信側に対して送信する、
　データの再送方法。」
　
２．引用発明
　これに対して、当審の拒絶の理由に引用文献４として引用された国際公開第０３／４３２５９号（以下、「引用例」という。）には、「METHOD AND DEVICE FOR RETRANSMISSION OF TRANSMITTED UNITS」（［当審仮訳］：「送信ユニットの再送信のための方法及び装置」）として図面とともに以下の事項が記載されている。
　
イ．「Since traffic is usually to be transmitted bi- directionally, and since in most of the remaining cases at least a feedback is to be enabled after a transmission, the transmitting unit is advantageously part of a first transceiver device. Accordingly, the transmitting unit advantageously transmits the transmission units to a receiving unit which is part of a second transceiver device.
　
Preferably, a retransmission of a transmission unit is carried out upon request by a receiving unit, e.g. because the receiving unit notes that a transmission unit is missing or that a transmission unit was received with too many errors. The request for a retransmission can be for example the selective ARQ mechanism proposed in the above mentioned amendment 802.16a.
　
The transmission unit of the invention can be in particular a MAC SDU transmitted in a MAC PDU without packing, a MAC SDU fragment transmitted in a MAC PDU without packing, a MAC SDU transmitted in a MAC PDU with packing, or a MAC SDU fragment transmitted in a MAC PDU with packing.
　
Preferably, fragmentation information is included in a subheader of each fragment that is to be transmitted. For wireless access systems that are based on the IEEE standard 802.16, this subheader has preferably an ARQ subheader format that consists of the fragmentation or packing subheader defined in this standard and of an additional part. The additional part may comprise for example a field extending the fragmentation sequence number (FSN) field present in the 802.16 Fragmentation Subheader and Packing Subheader, an FSN' field replicating the FSN field of the respective first transmission unit, an FC' field replicating the fragmentation control (FC) field in the respective first transmission unit, and a transmission unit sequence number TSN field.
　
The fields employed for a fragmentation control FC, FC' preferably comprise 2 bits. The values assigned to the fragmentation control fields FC and FC' may correspond for example to the values defined in the above mentioned IEEE standard 802.16. In this standard, a value of 00 is used for transmission units that are not fragmented, a value of 01 for a respective last fragment, a value of 10 for a respective first fragment, and a value of 11 for each middle fragment.
　
The fields employed for a fragmentation sequence number FSN, FSN' preferably comprise 5 bits. The fields for the transmission sequence number TSN preferably comprise 7 bits.
　
It is to be noted that the lengths of the fields and the codings in the fragmentation control fields can be selected differently. However, these lengths and codings ensure that the method and the system according to the invention comply with the definitions of the IEEE standard 802.16.」（５頁２２行−７頁２１行）
（［当審仮訳］： 
「トラフィックは通常双方向伝送であり、後述するほとんどの例では、送信後に少なくともフィードバックが有効になるので、送信部は、第１の送受信装置である。ゆえに、送信部は送信ユニットを、第２の送受信装置である受信部に伝送する。
　
好ましくは、送信ユニットの再送信は、例えば、送信ユニットが欠落している、または送信ユニットに多くのエラーが生じたことを、受信ユニットが報告することにより、受信部の要求に応じて実施される。再送信の要求は、例えば、上記の改正802.16aで提案されているARQ機構を選択することができる。
　
発明の送信ユニットは、MAC PDUで送信されるパッキングされないMAC SDU、MAC PDUで送信されるパッキングされないMAC SDUの分割、MAC PDUで送信されるパッキングされたMAC SDU、またはMAC PDUで送信されるパッキングされたMAC SDUの分割とすることができる。
　
各分割のサブヘッダーには、分割情報を含んで送信することが好ましい。IEEE標準規格802.16を基にしたワイヤレスアクセスシステムの場合、このサブヘッダは、この標準で追加部分が定義されたARQサブヘッダ形式を持つ分割またはパッキングサブヘッダから成ることが好ましい。追加部分は、例えば、フィールドの拡張として構成され、802.16に分割サブヘッダおよびパッキングサブヘッダとして示される分割シーケンス番号（FSN）フィールド、対応する最初の送信ユニットのFSNフィールドを複製するFSN'フィールド、対応する最初の送信ユニットのFCフィールドを複製するFC'フィールド、そして、送信ユニットシーケンス番号のTSNフィールドを含んでいてもよい。
　
分割制御FC，FC 'のフィールドは２ビットで構成することができる。分割制御フィールドFCとFC'には、例えば、前述したIEEE標準802.16で定義された値を対応させることができる。この規格では、00の値は分割されていない送信ユニット、01の値は分割の最後、10の値は分割の先頭、そして、11の値は分割の各中間の送信ユニットに使用される。
　
分割シーケンス番号FSN、FSN 'のフィールドは、５ビットで構成することができる。送信シーケンス番号TSNのフィールドは、７ビットで構成することができる。
　
分割制御フィールドのフィールドの長さやコーディングは異なるものとして選択できることに留意すべきである。しかし、本発明に係る方法やシステムにおけるこれらの長さやコーディングは、IEEE 802.16規格の定義に準拠したものである。」
　
ロ．「DETAILED DESCRIPTION OF THE INVENTION
　
Figure 1 and figure 2 illustrate transmissions and retransmissions of transmitting units in a broadband wireless access system according to the invention. The wireless access system employs fragmentation and an adaptive modulation for transmissions from a base station of a network of the system to a subscriber station of the system.
　
Figure 1 depicts in a first row two MAC SDUs #1 and #2 which are to be transmitted by a base station via the air interface to a subscriber station. Both MAC SDUs are fragmented for a first transmission into MAC PDUs 11-15, which are depicted in a second row of figure 1. The first MAC SDU #1 is fragmented into two MAC PDUs 11, 12 as indicated by arrows between the first and the second row. The second MAC SDU #2 is fragmented into three MAC PDUs 13-15, which is equally indicated by arrows.
　
The number of fragments into which the MAC SDUs are fragmented depends on the size of the respective MAC SDU and on the size of the available MAC PDUs. In case of good conditions, a modulation is selected that results in larger MAC PDUs and that thus requires less fragments than a modulation employed for bad conditions.
　
Each of the MAC PDUs 11-15 comprises a subheader with five fields containing fragmentation information.
　
The first field in each subheader is a TSN field of 7 bits, which is employed for identifying the respective MAC PDU. The second field is an FC field of 2 bits indicating for the current transmission the position of the respective PDU among the PDUs comprising the fragments of a single MAC SDU. The third field is an FC' field of 2 bits indicating the position of the PDU containing the same data as the PDU in a first transmission. The fourth field is an FSN field of 5 bits containing a fragmentation sequence number for the respective PDU for the current transmission. The fifth field, finally, is an FSN' field of 5 bits containing a fragmentation sequence number for the PDU containing the same data as the PDU in a first transmission. The values for the fields for the current transmission are selected as specified in the above mentioned standard 802.16.
　
The first MAC PDU 11 for the first MAC SDU #1 is assigned a TSN of OxF1, and an FC of 10, since this MAC PDU 11 is the first fragment of the first MAC SDU #1.
　
The second MAC PDU 12 for the first MAC SDU #1 is assigned a TSN of 0xF2, and an FC of 01, since this MAC PDU 12 is the last fragment of the first MAC SDU #1.
　
The first MAC PDU 13 for the second MAC SDU #2 is assigned a TSN of 0xF3 , and an FC of 10, since this MAC PDU 13 is the first fragment of the second MAC SDU #2.
　
The second MAC PDU 14 for the second MAC SDU #2 is assigned a TSN of 0xF4, and an FC of 11, since this MAC PDU 14 is a middle fragment of the second MAC SDU #2.
　
The third MAC PDU 15 of the second MAC SDU #2 is assigned a TSN of 0xF5, and an FC of 01, since this MAC PDU 15 is the last fragment of the second MAC SDU #2.
　
The respective value in the FC' fields is identical to the respective value in the FC fields for each of the MAC PDUs 11-15, since the transmission of the MAC PDUs 11-15 in the second row of figure 1 constitutes at the same time the first transmission. For the same reason, the respective value in the FSN' fields is identical for each of the MAC PDUs 11-15 to the respective value in the FSN fields . 
　
The assembled MAC PDUs 11-15 are transmitted by the base station via the air interface to the subscriber station. During the transmission, the second MAC PDU 12 of the first MAC SDU #1, i.e. fragment 0xF2, is lost. This is reported by the subscriber station to the network in an ARQ feedback message. The lost fragment 12 thus has to be retransmitted. In figure 1, MAC PDU 12 of the second row is crossed out in order to indicate the loss during the first transmission.
　
When a transmission unit is retransmitted, a copy of the original fragmentation control information and of the original fragmentation number is transmitted along with the transmission unit itself. The transmission unit that is to be retransmitted is treated like a new MAC SDU called retransmission SDU and is inserted at an appropriate position into the queue of MAC SDUs that are to be transmitted. The retransmission SDU undergoes the standard fragmentation process if necessary and obeys the same rules for setting the FC and FSN field values as an SDU which is transmitted for the first time.
　
In the example of figure 1, the applied modulation is not changed between the first transmission and the retransmission and the transmission capacity on the air interface stays the same. Therefore, the retransmission can be carried out without refragmentation. This means that the MAC PDU 12 with the TSN value of 0xF2 is transmitted again as a single fragment 21, which fragment 21 is depicted in a third row of figure 1. The relation of this fragment 21 to the second MAC PDU 12 of the first MAC SDU #1 is indicated in figure 1 by arrows. The values in some of the fields in the subheader of the fragment 21 are changed for retransmission, however, in order to enable the subscriber station to make use of the received, retransmitted fragment 21.
　
The TSN field in the subheader of the fragment 21 is provided with the same value 0xF2 as before, since this field identifies the lost MAC PDU 12. Also the fields FC' and FSN' contain the same values as before, these field containing the information about the lost transmission. The three fields TSN, FC' and FSN' enable the subscriber station to relate the retransmitted fragment 21 to the lost MAC PDU 12.
　
The value of the FC field, in contrast, is changed to 00, since the retransmitted PDU 12 is not fragmented further, fragment 21 thus constituting the only fragment. In addition, the value of the FSN field is incremented according to the conventional rules to 0x09, the last transmitted MAC PDU 15 of the first transmission having been assigned the value 0x08.
　
Figure 2 illustrates the retransmission for a different situation. The retransmission is based on the same embodiment of the method according to the invention as in figure 1.
　
Again, two MAC SDUs #1 and #2 are to be transmitted by a base station via the air interface to a subscriber station. The first fragmentation of the MAC SDUs into MAC PDUs 11-15 corresponds exactly to the first fragmentation in the example of figure 1. This is depicted in figure 2 by MAC SDUs and MAC PDUs in a first and a second row which are identical to the first and the second row of figure 1. Again, the second MAC PDU 12 of the first MAC SDU #1 is lost during transmission, which is reported to the network by an ARQ feedback message of the subscriber substation.
　
In contrast to the first example, the employed modulation is changed after the first transmission to be more robust. With the new modulation, the content of the second MAC PDU 12 of the first MAC SDU #1 can no longer be transmitted in a single PDU. Therefore, the second MAC PDU 12 has to be rearranged for retransmission.
　
The MAC PDU 12 with the TSN value 0xF2 is refragmented for retransmission into three new fragments 22-24, which are depicted in the third row of figure 2. Arrows relate the new fragments 22-24 to the lost MAC PDU 12 of the second row.
　
The respective TSN field of the three fragments 22-24 contains again the same value 0xF2, which identifies the lost MAC PDU 12 that has to be retransmitted. Also the fields FC' and FSN' contain the same values as before, since these fields contain further information about the lost MAC PDU 12.
　
The FC and FSN fields in the retransmitted fragments are set according to the normal rules. Therefore, the first fragment 22 is provided with a value of 10, the second fragment 23 with a value of 11 and the third fragment 24 with a value of 01 for the respective FC field. Further, the first fragment 22 is provided with a value of 0x09, the second fragment 23 with a value of OxOA and the third fragment 24 with a value of OxOB for the respective FSN field.
　
The refragmentation mechanism of the invention thus makes it possible to rebuild and reorder fragments in retransmission.」（８頁１５行−１４頁７行）
（［当審仮訳］： 
「発明の詳細な説明 
　
図１および図２は、本発明による広帯域無線アクセスシステムにおける送信ユニットの送信および再送信を示している。無線アクセスシステムは、ネットワークの基地局からネットワーク加入者局への、分割化と適応変調を採用した送信システムである。
　
図１は一行目の２つのMAC SDU＃1と＃2が、基地局から、加入者局へエア・インタフェースを介し送信されることを示している。図１の二行目に示されているように、両方のMAC SDUは、最初の送信のためMAC PDU11-15に分割される。一行目と二行目の間に矢印で示すように、第１のMAC SDU＃1は、２つのMAC PDU11,12に分割されている。矢印で同様に示されるよう、第２のMAC SDU＃2は３つのMAC PDU13-15に分割される。
　
MAC SDUが分割される数は、分割されるそれぞれのMAC SDUのサイズと使用可能なMAC PDUのサイズによって異なる。条件が良い場合に選択される変調は、MAC PDUをより大きなものとし、条件が悪い場合よりも分割の必要を少なくする。
　
MAC PDU 11-15それぞれは、分割情報からなる５つのフィールドを持つサブヘッダーを含む。 
　
各サブヘッダーの最初のフィールドは、それぞれのMAC PDUを識別するために採用されている７ビットのTSNフィールドである。二番目のフィールドは、送信される時の、一つのMAC SDUが分割されたPDUの中で、各PDUの位置を示す２ビットのFCフィールドである。三番目のフィールドは、最初の送信におけるPDUと同じデータからなるPDUの位置を示す２ビットのFC’フィールドである。四番目のフィールドは、送信される時の各PDUの分割シーケンス番号からなる５ビットのFSNフィールドである。最後の五番目のフィールドは、最初の送信のPDUと同じデータからなるPDUの分割シーケンス番号を含む５ビットのFSN’フィールドである。上記の標準802.16で指定されるように、送信される時にフィールドの値は選択される。
　
MAC PDU11は、第１のMAC SDU＃1の最初の分割であるため、第１のMAC SDU＃1の最初のMAC PDU 11は、TSNに0xF1、およびFCに10を割り当てられる。 
　
MAC PDU12は、第１のMAC SDU＃1の最後の分割であるため、第１のMAC SDU＃1の第２のMAC PDU 12は、TSNに0xF2、およびFCに01を割り当てられる。 
　
MAC PDU13は、第２のMAC SDU＃2の最初の分割であるため、第２のMAC SDU＃2の最初のMAC PDU 13は、TSNに0xF3、およびFCに10を割り当てられる。
　
MAC PDU14は、第２のMAC SDU＃2の中間の分割であるため、第２のMAC SDU＃2の第２のMAC PDU 14は、TSNに0xF4、およびFCに11を割り当てられる。 
　
MAC PDU15は、第２のMAC SDU＃2の最後の分割であるため、第２のMAC SDU＃2の第３のMAC PDU 15は、TSNに0xF5、およびFCに01を割り当てられる。
　
図１の２行目の MAC PDU 11-15は、同時に最初の送信を構成するため、FC’フィールドのそれぞれの値は、FCフィールドのそれぞれの値と同一である。同じ理由で、FSN’フィールドのそれぞれの値は、MAC PDU 11-15のFSNフィールドのそれぞれの値と同一である。
　
組み立てられたMAC PDU 11-15は、加入者局へのエア・インタフェースを介して基地局によって送信される。送信時、最初のMAC SDU＃1の第２のMAC PDU 12、すなわち分割0xF2が失われる。これは、ARQフィードバックメッセージによりネットワークの加入者局から報告される。このように失われた分割12は再送信されなければならない。図１において、２行目のMAC PDU 12は、最初の送信時での損失を示すためにクロスアウトされている。
　
送信ユニットが再送されるとき、元の分割制御情報と元の分割番号のコピーは、送信ユニット自体と一緒に送信される。再送する送信ユニットは再送のSDUと呼ばれる新しいMAC SDUのように扱われ、MAC SDUのキューの適切な位置に挿入されて送信される。再送SDUは、必要に応じて標準的な分割のプロセスを経て、初めての送信されるSDUと同じ規則に従いFCおよびFSNフィールドの値が設定される。
　
図１の例では、適用される変調が最初の送信と再送との間で変更されず、また、エアインタフェース上の伝送容量に変化がない。したがって、再送は再分割せずに行うことができる。これは、TSN値0xF2であるMAC PDU 12が、単一の分割21として再送信されることを意味し、この分割21は図１の３行目に示されている。第１のMAC SDU＃1の第２のMAC PDU 12と分割21との関係は図１に矢印で示されている。しかしながら、分割21のサブヘッダー中のフィールドのうちのいくつかの値は、加入者局が再送信された分割21を受信し利用することを可能にするために再送信で変更される。
　
分割21のサブヘッダのTSNフィールドは、このフィールドが失われたMAC PDU 12を識別するので、以前と同じ値0xF2が設定されている。また、フィールドFC’及びFSN’は、失われた送信に関する情報を含み、これらのフィールドには以前と同じ値が含まれている。３つのTSN、FC’およびFSN’のフィールドは、加入者局が失われたMAC PDU 12に再送分割21を関連付けることを可能にする。
　
対照的に、再送PDU 12はさらに分割されていないので、分割21はただ一つの分割部を構成し、FCフィールドの値は00に変更される。さらに、FSNフィールドの値は、最初の送信で最後に送信されたMAC PDU 15に割り当てられた0x08が、従来の規則に従ってインクリメントされ0x09となる。
　
図２は、状況の異なる再送を示している。再送は、図１のように、本発明に係る方法の同じ実施形態に基づいている。
　
ここでも、２つのMAC SDU＃1と＃2は、加入者局へのエアインタフェースを介して基地局によって送信される。最初のMAC PDUのMAC SDU 11 - 15への分割は、図１の例の最初の分割に正確に対応している。これは、図２の１行目と２行目にMAC SDU及びMAC PDUとして示され、図１の１行目と２行目に同一である。繰り返しになるが、第１のMAC SDUの第２のMAC PDU 12＃1は、送信中に失われ、加入者局のARQフィードバックメッセージによってネットワークに報告される。
　
最初の例とは対照的に、採用する変調は、より強固なものとするために最初の送信後に変更されている。新しい変調では、第１のMAC SDU＃1の第２のMAC PDU 12の内容は、もはや一つのPDUとして送信することはできない。したがって、第２のMAC PDU 12は再送信のために再配置する必要がある。
　
図２の３行目に示されているよう、TSN値0xF2のMAC PDU 12は、３つの新たな分割22-24として再分割され再送される。新しい分割22-24と、２行目の失われたMAC PDU12との関係を矢印が示している。
　
３つの分割22-24のそれぞれのTSNフィールドは、失われ、再び送信される必要があるMAC PDU12を識別する値と同一の0xF2となる。同様に、FC’とFSN’フィールドは、これらのフィールドが失われたMAC PDU 12に関する詳細な情報を含んでいるので以前と同じ値となる。
　
再送される分割のFCとFSNフィールドは通常の規則に従って設定される。したがって、第１の分割22は10の値、第２の分割23は11の値、第３の分割24は01の値がそれぞれのFCフィールドに設定される。さらに、第１の分割22は0x09の値、第２の分割23は0x0Aの値、第３の分割24は0x0Bの値がそれぞれのFSNフィールドに設定される。
　
本発明の再分割メカニズムにより再送で分割を再構築し、順序を変更することが可能になる。」）
　
　上記イ．，ロ．の記載及び図面ならびにこの分野における技術常識を考慮すると、
　
　上記イ．の「Since traffic is usually to be transmitted bi- directionally, and since in most of the remaining cases at least a feedback is to be enabled after a transmission, the transmitting unit is advantageously part of a first transceiver device. Accordingly, the transmitting unit advantageously transmits the transmission units to a receiving unit which is part of a second transceiver device.
　
Preferably, a retransmission of a transmission unit is carried out upon request by a receiving unit, e.g. because the receiving unit notes that a transmission unit is missing or that a transmission unit was received with too many errors. The request for a retransmission can be for example the selective ARQ mechanism proposed in the above mentioned amendment 802.16a. 」には、送信部から受信部へ、送信ユニットを送信し、当該送信ユニットが受信できない場合に当該送信ユニットを再送する再送方法であって、受信部から送信側に対して送信ユニットの再送の要求が有った場合に、送信側は送信ユニットを受信側に対して送信する再送方法について記載されている。
　
　また、上記ロ．の「The assembled MAC PDUs 11-15 are transmitted by the base station via the air interface to the subscriber station. During the transmission, the second MAC PDU 12 of the first MAC SDU #1, i.e. fragment 0xF2, is lost. This is reported by the subscriber station to the network in an ARQ feedback message. The lost fragment 12 thus has to be retransmitted. In figure 1, MAC PDU 12 of the second row is crossed out in order to indicate the loss during the first transmission.」より、上記の「送信ユニット」は「MAC PDU」である。
　
　上記ロ．の「Each of the MAC PDUs 11-15 comprises a subheader with five fields containing fragmentation information.
　
The first field in each subheader is a TSN field of 7 bits, which is employed for identifying the respective MAC PDU. 」及び、図１には、MAC PDUに、それぞれのMAC PDUを識別するための情報TSNが付加されることが記載されている。
　
　上記ロ．の「Again, two MAC SDUs #1 and #2 are to be transmitted by a base station via the air interface to a subscriber station. The first fragmentation of the MAC SDUs into MAC PDUs 11-15 corresponds exactly to the first fragmentation in the example of figure 1. This is depicted in figure 2 by MAC SDUs and MAC PDUs in a first and a second row which are identical to the first and the second row of figure 1. Again, the second MAC PDU 12 of the first MAC SDU #1 is lost during transmission, which is reported to the network by an ARQ feedback message of the subscriber substation.
　
In contrast to the first example, the employed modulation is changed after the first transmission to be more robust. With the new modulation, the content of the second MAC PDU 12 of the first MAC SDU #1 can no longer be transmitted in a single PDU. Therefore, the second MAC PDU 12 has to be rearranged for retransmission.
　
The MAC PDU 12 with the TSN value 0xF2 is refragmented for retransmission into three new fragments 22-24, which are depicted in the third row of figure 2. Arrows relate the new fragments 22-24 to the lost MAC PDU 12 of the second row.」及び、図２には、再送の要求に係る再送対象MAC PDU 12を複数の分割MAC PDU 22-24に分割し、当該分割MAC PDU 22-24それぞれのサブヘッダに再送対象MAC PDU 12を識別するための情報TSNを付加することについて記載されている。
　
　上記ロ．の「The FC and FSN fields in the retransmitted fragments are set according to the normal rules. Therefore, the first fragment 22 is provided with a value of 10, the second fragment 23 with a value of 11 and the third fragment 24 with a value of 01 for the respective FC field. 」には、再送のため複数に分割された分割MAC PDU 22-24に、通常のルールに基づき、FCにそれぞれ10,11,01の値が付加されることが記載されている。
　この「FC」について、上記ロ．の「Each of the MAC PDUs 11-15 comprises a subheader with five fields containing fragmentation information.
　・・略・・　 The second field is an FC field of 2 bits indicating for the current transmission the position of the respective PDU among the PDUs comprising the fragments of a single MAC SDU.　・・略・・　　」には、分割が行われた対象における「位置を示す情報」であることが示されており、具体的には、上記イ．の「The fields employed for a fragmentation control FC, FC' preferably comprise 2 bits. The values assigned to the fragmentation control fields FC and FC' may correspond for example to the values defined in the above mentioned IEEE standard 802.16. In this standard, a value of 00 is used for transmission units that are not fragmented, a value of 01 for a respective last fragment, a value of 10 for a respective first fragment, and a value of 11 for each middle fragment.」の記載、また、図２を併せて参照すると、先頭（FC=10），中間（FC=11），最後（FC=01）の「再送対象MAC PDUにおける位置を示す情報」であるといえる。
　
　したがって、上記引用例には以下の発明（以下、「引用発明」という。）が開示されている。
　
（引用発明）
「送信部から受信部へ、MAC PDUを、当該MAC PDUを識別するための情報TSNを付加して送信し、当該MAC PDUが受信できない場合に当該MAC PDUを再送する再送方法であって、
　前記受信部から前記送信部に対してMAC PDUの再送の要求があった場合に、
　前記送信部は、
　前記再送の要求に係るMAC PDUである再送対象MAC PDUを複数の分割MAC PDUに分割し、当該分割MAC PDUそれぞれのサブヘッダに前記識別するための情報TSN、および、再送対象MAC PDUにおける位置を示す情報FCを付加することによって、複数の分割MAC PDUを生成し、
　生成された前記各分割MAC PDUを前記受信部に対して送信する、
　MAC PDUの再送方法」
　
３．対比・判断
　本願発明と引用発明とを対比すると、
　引用発明の「送信部」，「受信部」は、それぞれ、「送信側」，「受信側」ということができる。
　引用発明の「MAC PDU」が「フレームフォーマット」の「データ」であることは、当該技術分野における技術常識である。
　引用発明の「複数の分割MAC PDUに分割」は、複数の「分割データを生成」することであり、また、分割されたデータは、元のデータよりも小さくなることは明らかであり、「小データ」と称することは任意であるから、本願発明の「複数の小データに分割」に相当する。
　引用発明の「情報TSN」は、送信するフレームフォーマットのデータ（「MAC PDU」）を識別するための情報であるから、本願発明の「識別情報」に相当する。
　引用発明の「情報FC」は、再送対象データにおける位置を示す情報であるから、本願発明の「位置情報」に相当する。
　引用発明の「サブヘッダ」は、「ヘッダ領域」の一つであるといえ、本願発明の「ヘッダの領域」に相当する。
　
　したがって、本願発明と引用発明は、以下の点で一致ないし相違している。
　
（一致点）
「送信側から受信側へ、フレームフォーマットのデータを、当該データを識別する識別情報を付加して送信し、当該データが受信できない場合に当該データを再送する再送方法であって、
　前記受信側から前記送信側に対してデータの再送の要求があった場合に、
　前記送信側は、
　前記再送の要求に係るデータである再送対象データを複数の小データに分割し、当該小データそれぞれのヘッダの領域に前記識別情報を付加し、かつ当該小データの当該再送対象データにおける位置を示す位置情報を付加することによって、複数の分割データを生成し、
　生成された前記各分割データを前記受信側に対して送信する、
　データの再送方法。」
　
（相違点）
　「小データの当該再送対象データにおける位置を示す位置情報」に関し、本願発明は、「ヘッダ以外の領域」に「付加」するものであるのに対し、引用発明は「サブヘッダ」に「付加」するものである点。
　
４．当審の判断
　上記相違点について検討する。
　一般に、送信の対象となる「フレームフォーマットのデータ」は、「送信対象データ」および、送信対象データに関して「付加」される情報をフレーム内に配置したものであり、当該情報を「ヘッダの領域」に「付加」することは広く行われているものではあるが、フレーム内のどのような「領域」に情報を「付加」するかは、適宜の選択が可能であり、必ずしも「ヘッダの領域」に限定されるものではない。
　例えば、「フレームフォーマットのデータ」を送信する際、「ヘッダ以外の領域」に情報を「付加」することは、特開平６−２１９２３号公報（周知例１）（［００６２］，［００６９］，［００７４］，図２を参照。）、特開平１１−３２０７７号公報（周知例２）（［００４０］，［００５２］，図２，図６を参照。）、特開２００５−１５０７９２号公報（当審の拒絶の理由に引用文献５として引用された文献。）（［００７１］，図３を参照。）に示されるように、ごく一般的な技術である。
　特に、特開平６−２１９２３号公報（周知例１）には、「ヘッダ領域」と「ヘッダ以外の領域」とを用いて「送信対象データ」に関する情報を「付加」することが記載されている。
　
　引用発明では、「小データの当該再送対象データにおける位置を示す位置情報」を「ヘッダの領域」に付加しているが、該位置情報を「付加」する領域を「ヘッダの領域」に限定する必然性はなく、上述のように任意に「ヘッダ以外の領域」に「付加」することは、当業者が適宜なし得たものである。
　
　また、「ヘッダ以外の領域」に位置情報を「付加」すれば、ヘッダの領域が削減されることは明らかであるとしても、「フレームフォーマットのデータ」全体からみれば、単に位置情報が配置される「領域」が異なるのみであり、「ヘッダ以外の領域」に「付加」することによる作用効果については全く不明なものといわざるを得ない。（本願の請求項１の記載によれば、分割再送の前後でフレームフォーマットが変わるものではない。）
　例えば、分割再送に係る情報を「ヘッダ以外の領域」を用いて送信する特開平１１−３２０７７号公報（上記周知例２）には、情報を「付加」する「領域」が常に存在し（特に［００４０］を参照。）、「ヘッダ以外の領域」を用いたとしても、そのことのみによって、送信情報が削減される等の有利な作用効果が生じるものではない。
　
　したがって、相違点は格別なものでなく、本願発明の作用効果についてみても、引用発明及び周知技術から当業者が当然予測し得る範囲のものである。
　
５．むすび
　以上のとおり、本願発明は、上記引用発明及び周知技術に基いて、当業者が容易に発明をすることができたものであるから、特許法第２９条第２項の規定により特許を受けることができない。
　
　よって、結論のとおり審決する。